(57)【要約】【課題】電流センサからの電流信号の正負を反転する信号反転手段を設けることで、演算後の電力値の和をゼロとすることにより、計測電力のゼロ点（オフセット値）のずれを補正することができる分散型発電システムを提供することを目的とする。【解決手段】制御手段１１２は、通常電流信号と信号反転手段１０９による反転電流信号とを、信号積算手段１１０において互いに同じ期間積算した値が実質的にゼロになる場合に、通常電流信号と電圧信号とに基づく第１電力と、反転電流信号と電圧信号とに基づく第２電力とを、互いに同じ期間演算し、第１電力と第２電力との和をゼロにすることにより、電力演算回路１１１における電力値のゼロ点補正を行う。【選択図】図１
2012220330.tif 000002
【特許請求の範囲】
【請求項１】
電力系統と複数の電線を介して連系する分散型発電システムであって、
直流電力を発電する発電装置と、
前記発電装置が生成した直流電力を交流電力に変換して需要家内負荷に供給する直流交流電力変換手段と、
前記需要家内負荷より系統側の前記電線の電流を検出する電流センサと、
前記電線の電圧を検出する電圧検出手段と、
前記電流センサからの電流信号と前記電圧検出手段からの電圧信号とに基づいて計測電力を演算する電力演算回路と、
前記電流センサからの電流信号の正負を反転する信号反転手段と、
前記電流センサからの電流信号を積算する信号積算手段と、
少なくとも前記発電装置と前記直流交流電力変換手段と前記信号反転手段を制御する制御手段と、
を備え、
前記制御手段は、
前記信号反転手段を動作させない場合の通常電流信号と前記信号反転手段を動作させた場合の反転電流信号とを、前記信号積算手段において互いに同じ期間積算した値が実質的にゼロになる場合に、前記通常電流信号と前記電圧信号とに基づいて演算される第１電力と、前記反転電流信号と前記電圧信号とに基づいて演算される第２電力とを、互いに同じ期間演算し、前記第１電力と前記第２電力との和をゼロにすることにより、前記電力演算回路における電力値のゼロ点補正を行うよう制御する分散型発電システム。
【請求項２】
前記電力演算回路における電力値のゼロ点補正の内容を記憶する記憶手段をさらに備え、前記制御手段は、前記電力演算回路における電力値のゼロ点補正の内容を前記記憶手段に記憶し、前記記憶手段が記憶している電力値のゼロ点補正の内容に基づいて、前記電力演算回路における計測電力の演算を行う請求項１に記載の分散型発電システム。
【請求項３】
前記制御手段に信号を送るための操作手段と、前記制御手段から信号を受けるための表示手段とをさらに備え、前記制御手段は、前記操作手段の操作指令に連動して、前記記憶手段に記憶された電力値のゼロ点補正の内容を前記表示手段に表示するよう制御する請求項２に記載の分散型発電システム。
【請求項４】
前記制御手段は、深夜の時間帯に前記電力演算回路における電力値のゼロ点補正を行うよう制御する請求項１〜３のいずれか１項に記載の分散型発電システム。
【請求項５】
前記制御手段は、前記発電装置の起動中に前記電力演算回路における電力値のゼロ点補正を行うよう制御する請求項１〜４のいずれか１項に記載の分散型発電システム。
【請求項６】
前記制御手段は、前記発電装置の起動毎に前記電力演算回路における電力値のゼロ点補正を行うよう制御する請求項５に記載の分散型発電システム。
【請求項７】
前記制御手段は、前記発電装置が所定期間以上停止した場合に前記電力演算回路における電力値のゼロ点補正を行うよう制御する請求項５に記載の分散型発電システム。
【発明の詳細な説明】
【技術分野】
【０００１】
本発明は、電力系統と連系して、電力系統、および需要家内負荷へ交流電力を供給する分散型発電システムに関するものである。
【背景技術】
【０００２】
従来、この種の分散型発電システムは、例えば図４に示す構成が開示されている（例えば、特許文献１参照）。
【０００３】
以下に、特許文献１に示されている分散型発電システムについて説明する。
【０００４】
図４は、従来の分散型発電システムのブロック図である。
【０００５】
図４に示すように、商用電源系統１は、受電点２、電力計測器３、分電盤１１を介して負荷９に接続され、商用電源系統１から受電点２に受電電力Ｐ１が供給され、分電盤１１内の漏電ブレーカ１３、さらに分岐ブレーカ１４ｂを介して負荷９に電力が供給されている。
【０００６】
発電装置４は、燃料電池を備えた発電部５、インバータ６、制御装置７および補機１０を備え、インバータ６は発電部５で発電された電力を調整し、出力電力Ｐ２として、分電盤１１内の分岐ブレーカ１４ａ、１４ｂを介して負荷９に出力するものである。制御装置７は、電力計測器３から計測信号Ｓ１を受け取り、これに基づいて制御信号Ｓ４によるインバータ６の出力動作、制御信号Ｓ３による負荷９の駆動、補機１０の駆動等をそれぞれ制御する。補機１０は、インバータ６からの出力電力Ｐ３により駆動され、制御装置７の制御信号Ｓ２により制御される。
【０００７】
また、負荷９で消費される電力を把握するために電力計測器３を受電点２またはその近傍に配置し、受電電力Ｐ１および発電電力Ｐ２をそれぞれ計測するようにしている。
【０００８】
ここで、発電装置４が運転中の場合、電力計測器３から送られてくる計測信号Ｓ１に基づいて受電点２の電力が一定期間の間に変化しない場合は、電力計測器３が断線等により故障しているものと判断し、発電部５および補機１０に停止信号を送り、発電装置４の運転を停止させる。またインバータ６の出力を変化させたり、インバータ６を短時間ゲートブロックしたり、補機１０の出力を変化させたり、負荷９を変化させたりした場合、電力計測器３から送られてくる計測信号Ｓ１に基づく受電点２の電力が、前述のように変化させる前後の一定期間の間に変化しない場合も、同様の判断をして発電装置４の運転を停止させる。
【先行技術文献】
【特許文献】
【０００９】
【特許文献１】特開２００９−７９９３５号公報
【発明の概要】
【発明が解決しようとする課題】
【００１０】
しかしながら、前記従来の構成では、電力計測器（電流センサ）そのものの異常は検出できるが、電力演算回路における計測電力のゼロ点（オフセット値）のずれについては検出できていないという課題を有していた。
【００１１】
本発明は、前記従来の課題を解決するもので、電流センサからの電流信号の正負を反転する信号反転手段を設けることで、通常電流信号と、信号反転手段を動作して得られる反転電流信号により演算後の電力値の和をゼロとすることにより、電力演算回路において演算する電力のゼロ点のずれを補正することで、計測電力のゼロ点を自動補正できるので常に正確な電力計測ができる分散型発電システムを提供することを目的とする。
【課題を解決するための手段】
【００１２】
電力系統と複数の電線を介して連系する分散型発電システムであって、直流電力を発電する発電装置と、前記発電装置が生成した直流電力を交流電力に変換して需要家内負荷に供給する直流交流電力変換手段と、前記需要家内負荷より系統側の前記電線の電流を検出する電流センサと、前記電線の電圧を検出する電圧検出手段と、前記電流センサからの電流信号と前記電圧検出手段からの電圧信号とに基づいて計測電力を演算する電力演算回路と、前記電流センサからの電流信号の正負を反転する信号反転手段と、前記電流センサからの電流信号を積算する信号積算手段と、少なくとも前記発電装置と前記直流交流電力変換手段と前記信号反転手段を制御する制御手段とを備え、前記制御手段は、前記信号反転手段を動作させない場合の通常電流信号と前記信号反転手段を動作させた場合の反転電流信号とを、前記信号積算手段において互いに同じ期間積算した値が実質的にゼロになる場合に、前記通常電流信号と前記電圧信号とに基づいて演算される第１電力と、前記反転電流信号と前記電圧信号とに基づいて演算される第２電力とを、互いに同じ期間演算し、前記第１電力と前記第２電力との和をゼロにすることにより、前記電力演算回路における電力値のゼロ点補正を行うよう制御するものである。
【００１３】
これによって、全波での歪みのない、なめらかな交流電力の場合のみに限定して、計測電力のゼロ点を自動補正できるので常に正確な電力計測ができる。
【発明の効果】
【００１４】
本発明の分散型発電システムは、電流センサからの電流信号の正負を反転する信号反転手段を設けることで、通常電流信号と、信号反転手段を動作して得られる反転電流信号により演算後の電力値の和をゼロとすることにより、電力演算回路において演算する電力のゼロ点のずれを補正することで、計測電力のゼロ点を自動補正できるので常に正確な電力計測ができる。
【００１５】
さらに、電流センサからの電流信号を積算する信号積算手段を設けることで、家庭内の特殊な負荷、例えば半波整流された電気器具などが使用されていた場合はゼロ点補正せず、全波での歪みのない、なめらかな交流電力の場合のみに限定してゼロ点補正することで正確な補正が可能となる。
【図面の簡単な説明】
【００１６】
【図１】本発明の実施の形態１における分散型発電システムのブロック図
【図２】同実施の形態１における電力演算回路の詳細図と周辺図
【図３】同実施の形態１における検出電圧、電流および演算後の電力波形図
【図４】従来の分散型発電システムのブロック図
【発明を実施するための形態】
【００１７】
第１の発明は、電力系統と複数の電線を介して連系する分散型発電システムであって、直流電力を発電する発電装置と、前記発電装置が生成した直流電力を交流電力に変換して需要家内負荷に供給する直流交流電力変換手段と、前記需要家内負荷より系統側の前記電線の電流を検出する電流センサと、前記電線の電圧を検出する電圧検出手段と、前記電流センサからの電流信号と前記電圧検出手段からの電圧信号とに基づいて計測電力を演算する電力演算回路と、前記電流センサからの電流信号の正負を反転する信号反転手段と、前
記電流センサからの電流信号を積算する信号積算手段と、少なくとも前記発電装置と前記直流交流電力変換手段と前記信号反転手段を制御する制御手段とを備え、前記制御手段は、前記信号反転手段を動作させない場合の通常電流信号と前記信号反転手段を動作させた場合の反転電流信号とを、前記信号積算手段において互いに同じ期間積算した値が実質的にゼロになる場合に、前記通常電流信号と前記電圧信号とに基づいて演算される第１電力と、前記反転電流信号と前記電圧信号とに基づいて演算される第２電力とを、互いに同じ期間演算し、前記第１電力と前記第２電力との和をゼロにすることにより、前記電力演算回路における電力値のゼロ点補正を行うよう制御するものである。これにより、全波での歪みのない、なめらかな交流電力の場合のみに限定して、計測電力のゼロ点を自動補正できるので常に正確な電力計測ができる。
【００１８】
第２の発明は、特に第１の発明の分散型発電システムに加え、前記電力演算回路における電力値のゼロ点補正の内容を記憶する記憶手段をさらに備え、前記制御手段は、前記電力演算回路における電力値のゼロ点補正の内容を前記記憶手段に記憶し、前記記憶手段が記憶している電力値のゼロ点補正の内容に基づいて、前記電力演算回路における計測電力の演算を行うものである。これにより、何らかの原因で制御手段の電源が遮断され電源オフ状態となっても、電力値のゼロ点補正の内容が記憶手段において記憶されているので、常に正確な電力計測ができる。
【００１９】
第３の発明は、特に第２の発明の分散型発電システムに加え、前記制御手段に信号を送るための操作手段と、前記制御手段から信号を受けるための表示手段とをさらに備え、前記制御手段は、前記操作手段の操作指令に連動して、前記記憶手段に記憶された電力値のゼロ点補正の内容を前記表示手段に表示するよう制御するものである。これにより、サービスマンやメンテ作業者が確認したい時はいつでも、ゼロ点補正のための記憶されている内容やその内容に対応する電力値を直接的に目で確認できるので、電力計測値の現状を把握することができる。
【００２０】
第４の発明は、特に第１〜３のいずれか１項の発明の制御手段は、深夜の時間帯に前記電力演算回路における電力値のゼロ点補正を行うよう制御するものである。これにより、消費電力が小さく、電力の変動が小さい深夜の時間帯にゼロ点補正を正確に実施でき、家庭内の特殊な負荷、例えば半波整流された電気器具の影響もなく、全波での歪みのない交流電力におけるゼロ点の補正を実施することが可能となる。
【００２１】
第５の発明は、特に第１〜４のいずれか１項の発明の制御手段は、前記発電装置の起動中に前記電力演算回路における電力値のゼロ点補正を行うよう制御するものである。これにより、起動指令から発電に入るまでの間に、ゼロ点の補正を実施するので、発電中の計測電力の演算に十分活用することができる。
【００２２】
第６の発明は、特に第５の発明の制御手段は、前記発電装置の起動毎に前記電力演算回路における電力値のゼロ点補正を行うよう制御するものである。これにより、起動指令から発電に入るまでの間、毎回ゼロ点の補正を実施するので、毎回の発電中において正確な電力計測が実施できる。
【００２３】
第７の発明は、特に第５の発明の制御手段は、前記発電装置が所定期間以上停止した場合に前記電力演算回路における電力値のゼロ点補正を行うよう制御するものである。これにより、発電システムが長期停止し、その間に電力計測のゼロ点がずれた場合であっても、発電前の起動中にゼロ点の補正を実施するので、発電中の正確な電力計測が可能となる。
【００２４】
以下、本発明の実施の形態について、図面を参照しながら説明する。なお、この実施の
形態によって本発明が限定されるものではない。
【００２５】
（実施の形態１）
以下に、本発明の実施の形態１における分散型発電システムについて、詳細に説明する。
【００２６】
図１は、本発明の実施の形態１における分散型発電システムのブロック図である。
【００２７】
図１には、電力系統１０１と、分散型発電システム１０２と、需要家内負荷１０４を図示している。ここで、電力系統１０１は、Ｕ相、Ｏ相、Ｗ相から成る単相三線式の交流電源であり、連系点１０３で電力系統１０１と分散型発電システム１０２は連系する。需要家内負荷１０４は、一般家庭で使用されるテレビ、エアコン等などで、電力系統１０１または分散型発電システム１０２から供給される交流電力を消費する機器である。
【００２８】
そして、分散型発電システム１０２は、発電装置１０５と、直流交流電力変換手段１０６と、電圧検出手段１０７と、第１の電流センサ１０８ａと、第２の電流センサ１０８ｂと、信号反転手段１０９と、信号積算手段１１０と、電力演算回路１１１と、制御手段１１２と、記憶手段１１３と、操作手段１１４、表示手段１１５から少なくとも構成される。
【００２９】
ここで、発電装置１０５は、燃料電池などで構成され直流電力を生成する。
【００３０】
直流交流電力変換手段１０６は、絶縁トランスを含む構成を有し、発電装置１０５が生成する直流電圧を変圧した後、需要家内負荷１０４で消費可能な交流へ変換する。
【００３１】
電圧検出手段１０７は、Ｕ相―Ｏ相間、Ｗ相―Ｏ相間の電圧を検出する。
【００３２】
第１の電流センサ１０８ａ、第２の１０８ｂはカレントトランスなどで、電力系統１０１の電線に取付けられ、取付けられた位置に流れる電流の大きさおよび正負の方向を検出する（本実施の形態では、第１の電流センサ１０８ａをＵ相の連系点１０３、第２の電流センサ１０８ｂをＷ相の連系点１０３に取付ける）。ここで電力系統１０１から需要家内負荷１０４に流れる電力を正とし、順潮流と呼ぶ。また分散型発電システム１０２から電力系統１０１に流れる電力を負として逆潮流と呼んでいる。
【００３３】
信号反転手段１０９は、ＦＥＴ等のスイッティング素子で構成され、制御手段１１２からのパルス出力によりＦＥＴ等のスイッティング素子をドライブすることにより第１の電流センサ１０８ａおよび第２の電流センサ１０８ｂからの電流信号の正負を１周期単位（全波）のタイミングで反転することができる。また信号反転手段１０９は、第１の電流センサ１０８ａあるいは第２の電流センサ１０８ｂが逆向きに電線に取付けられていると判断された場合に、自動的に電流信号の正負を反転して正しく受電電力を計測するためにも利用され、回路を共有している。ここでは、全波（１周期）単位で電流信号を反転しているが、制御手段１１２からの信号を制御して、半波（半周期）単位で、きめ細かく、電流信号を反転してしてもよい。
【００３４】
信号積算手段１１０は、積分回路で構成され、信号反転手段１０９により信号の正負を反転された第１の電流センサ１０８ａおよび第２の電流センサ１０８ｂからの電流信号と、同じ期間の正負を反転されない通常の電流信号を積分するものである。
【００３５】
電力演算回路１１１は、電圧検出手段１０７で検出される電圧値と電流センサ１０８で検出される電流値の積により電力値を演算する。電力値のゼロ点を補正する場合は、信号
積算手段１１０による電流信号の積分値がゼロになる場合に限り、通常電流信号と電圧信号とに基づいて演算される第１電力と、信号反転手段１０９により信号の正負を反転された反転電流信号と電圧信号とに基づいて演算される第２電力とを、互いに同じ期間演算し、第１電力と第２電力との和を計算して電力値をゼロとする。これにより電力演算回路１１１における電力値のゼロ点補正を行うができる。
【００３６】
制御手段１１２は、電力演算回路１１１において算出される電力値をもとに発電装置１０５、直流交流電力変換手段１０６の出力を制御する。また、信号反転手段１０９への信号を制御することにより電流センサ１０８からの電流信号の正負を反転する。この実施例では電流信号の全波を反転しているが、半波単位で電流信号を反転してもよい。そして交流の電力演算回路１１１において電圧検出手段１０７からの電圧値との積である電力値をゼロとすることにより、電力演算回路１１１における電力値のゼロ点を補正する。
記憶手段１１３は、ＥＥＰＲＯＭ等の不揮発性メモリで構成され、電力演算回路１１１においてゼロ点補正された電力オフセット値を記憶する。
【００３７】
操作手段１１４は、タクトスイッチやメンブレンスイッチなどで構成され、サービスマンやメンテ作業者が所定の操作を行う手段である。
【００３８】
表示手段１１５は、ＬＣＤや７セグメント等のＬＥＤなどで構成され、記憶手段１１３において記憶された電力オフセット値および、そのオフセット値に対応する電力値を表示する手段である。
【００３９】
以上のように構成された分散型発電システムの動作および作用について、図１，図２、図３を用いて説明する。まず、連系点１０３における電圧信号および電流信号から、電力演算回路１１１における電力演算および制御手段１１２への流れを説明する。
【００４０】
図２は電力計測するための電力演算回路１１１の詳細図とその周辺を表す図である。また図３は、（ａ）通常の電力計測時の場合での、連系点１０３における電圧信号ｖａおよび通常電流信号ｉａをもとに、電力演算回路１１１における乗算器１１１ａでの演算後の電力信号ｗａ、およびフィルタ回路１１１ｂ後の電力信号と、（ｂ）電力値のゼロ点補正時の場合での、連系点１０３における電圧信号ｖｂおよび反転電流信号ｉｂをもとに、電力演算回路１１１における乗算器１１１ａでの演算後の電力信号ｗｂ、およびフィルタ回路１１１ｂ後の電力信号の波形図である。
【００４１】
まず、図２および図３の（ａ）通常の電力計測時の場合において、連系点１０３における電圧検出手段１０７から信号増幅回路を経た電圧信号（ｖ＝Ｖｐ・ｓｉｎωｔ）と電流センサ１０８から信号増幅回路を経た電流信号（ｉ＝Ｉｐ・ｓｉｎωｔ）は、まず電力演算回路１１１中の演算回路にある乗算器１１１ａにおいて積算されて、図３の（ａ）−（２）乗算器後の電力信号ｗａに示す、ゼロ以上の正の交流信号となり、フィルタ回路１１１ｂを経ることにより、図３の（ａ）−（３）フィルタ回路後の電力信号に示す、直流信号となる。これが通常の電力計測値となる。（Ｐ＝（１／Ｔ）∫ｖｉｄｔ）（Ｔは周期）この直流信号の電力値は信号増幅回路１１１ｃにて、制御手段１１２のＡ／Ｄ入力ポートに入力可能なように増幅される。そして信号増幅回路１１１ｄを経て大レンジの値は制御手段１１２の大レンジ用Ａ／Ｄ入力ポートに入力される。さらに小レンジの値は信号増幅回路１１１ｅを経て制御手段１１２の小レンジ用Ａ／Ｄ入力ポートに入力される。ここで制御手段１１２に入力された電力値は、記憶手段１１３に随時記憶される。
【００４２】
そして電力演算回路１１１において、連系点１０３における電圧検出手段１０７のＵ相−Ｏ相間電圧値と第１の電流センサ１０８ａからの電流値との積からＵ相の電力値を演算し、また連系点１０３における電圧検出手段１０７のＷ相−Ｏ相間電圧値と第２の電流セ
ンサ１０８ｂからの電流値との積からＷ相の電力値を演算して、それぞれＵ相およびＷ相を合算して電力値とする。ここで電流センサ１０８からの電流値の正負については、順潮流であれば正、逆潮流であれば負として計算される。
【００４３】
次に、電力値のゼロ点補正の手順について説明する。図２および図３の（ｂ）電力値のゼロ点補正時の場合において、制御手段１１２は信号反転手段１０９に信号を送って動作させることにより、図３（ｂ）−（１）に示すように、電流センサ１０８からの電流信号をもとに反転電流信号ｉｂを生成出力する。これは１周期の通常電流信号と１周期の反転電流信号から成り、この２周期分を最小単位とし、通常は整数倍で構成される。したがって２周期ずつ合計４周期でもよく、３周期ずつ合計６周期でもよい。
【００４４】
ここでは、この最小単位の２周期分について説明するものとする。反転電流信号ｉｂと同じ期間の連系点１０３における電圧検出手段１０７の電圧信号ｖｂとを、電力演算回路１１１中の演算回路にある乗算器１１１ａに入力して積算することにより、図３の（ｂ）−（２）乗算器後の電力信号ｗｂに示す交流信号を得ることになる。
【００４５】
この電力信号ｗｂは、１周期の電圧信号と、信号反転手段１０９を動作させない場合の１周期の通常電流信号を乗算した第１電力および、１周期の電圧信号と、信号反転手段１０９を動作させた場合の１周期の反転電流信号を乗算した第２電力とで構成される。つまり同じ期間（ここでは１周期ずつ）の第１電力と第２電力で構成され、１周期ずつの場合を最小単位とするものである。したがって、２周期分の第１電力と２周期分の第２電力でもよく、それぞれその整数倍でもよい。そしてこれがフィルタ回路１１１ｂを経ることにより、図３の（ｂ）−（３）フィルタ回路後の電力信号に示すように、電力信号が０［Ｗ］となる。そして電力演算回路１１１において、演算する電力のゼロ点を補正する。この時の数値データをゼロ点として制御手段１１２のメモリに格納するものである。
【００４６】
ただし、この数値データが有効な値となるのは、信号積算手段１１０において反転電流信号ｉｂを積分した値が実質的にゼロとなった場合のみに限る。制御手段１１２は、常に信号積算手段１１０において、反転電流信号ｉｂ（最小単位としての２周期）の整数倍の信号をトレースして積分し、積分値がゼロかどうかを判断している。需要家内負荷１０４には、高周波ノイズが発生しやすい、正の半波のみの負荷や負の半波のみの負荷が存在する。その場合は積分してもゼロとはならず、したがって第１電力と第２電力との和もゼロとはならないので、電力演算回路１１１における電力値のゼロ点補正は無効とすることで区別が可能となる。つまり全波での歪みのない、なめらかな交流電力の場合のみ、積分してゼロとなるので、その場合に限定して、計測電力のゼロ点を補正するように歯止めをかけるものである。
【００４７】
そして電力信号が０［Ｗ］である場合、電力値のゼロ点補正の一例として、例えば、電力０［Ｗ］に対応する数値データが「１０５０」であったとする。実施の形態では電力値の０［Ｗ］に相当する規格値が「１０２４」であるので、１０５０−１０２４＝２６となる。ここでは数値データ「１」に対応する電力値は「１［Ｗ］」に相当するので、２６Ｗずれていることになる。つまり電力が０［Ｗ］の状態でも２６［Ｗ］の順潮流が流れていると認識していることになる。そこで、電力の数値データを「−２６」として「１０２４」が０［Ｗ］に相当するように制御手段１１２のメモリを書き換える。さらにこの０［Ｗ］に相当する電力オフセット値を記憶手段１１３に記憶するものである。
【００４８】
また別の場合、電力０［Ｗ］に対応する数値データが「９９０」であったとする。ここでは９９０−１０２４＝−３４となり、電力が０［Ｗ］の状態でも３４［Ｗ］の逆潮流が流れていると認識していることになる。そこで、電力の数値データを「＋３４」として「１０２４」が０［Ｗ］に相当するように制御手段１１２のメモリを書き換え、この０［Ｗ
］に相当する電力オフセット値を記憶手段１１３に記憶するものである。
【００４９】
そして記憶手段１１３が記憶している電力値のゼロ点補正の内容に基づいて、電力演算回路１１１における通常発電時の計測電力の演算を行うものである。
【００５０】
上記の補正は、Ｕ相−Ｏ相間電圧値と第１の電流センサ１０８ａからの電流値との積からのＵ相の電力値、さらにＷ相−Ｏ相間電圧値と第２の電流センサ１０８ｂからの電流値との積からのＷ相での電力値の両相においてそれぞれ数値データをもち、それぞれ補正を実施するものである。
【００５１】
これにより、全波での歪みのない、なめらかな交流電力の場合のみに限定して、計測電力のゼロ点を自動補正できるので常に正確な電力計測ができる。
【００５２】
そして、制御手段１１２は、操作手段１１４の操作指令に連動して、記憶手段１１３に記憶された電力値のゼロ点補正の内容、つまり前述の電力オフセット値および電力オフセット値に対応する電力値のうちの少なくとも一方を表示手段１１５に表示するよう制御するものである。サービスマンやメンテ作業者は、その時点での電力オフセット値やそのオフセット値に対応する電力値を、操作手段１１４のスイッチ操作により、表示手段１１５に数値として確認できるので、メンテナンスおよび修理の時に有効である。
【００５３】
また、制御手段１１２は、深夜の時間帯に電力演算回路１１１における電力値のゼロ点補正を行うよう制御するものである。「深夜の時間帯」とは１２時〜３時、より好ましくは１時〜２時である。深夜の時間帯は消費電力が少なく、電力の変動が小さいから、ゼロ点補正の実行に好ましい。また需要家内負荷１０４も常時通電されているのは一般的な冷蔵庫等のみで、特殊な負荷、具体的には高周波ノイズが発生しやすい正の半波のみの負荷や負の半波のみの負荷や半波整流している負荷、あるいは波形が変形している負荷が動作している確率が低いので、ゼロ点補正の実行に好ましいと言える。また正の半波と負の半波が微妙に同じではない波形の場合も適当ではない。いかなる場合も信号積算手段１１０において反転電流信号ｉｂを積分した値が実質的にゼロとなった場合のみに限るものである。したがって「深夜の時間帯」は、全波での歪みのない、なめらかな交流電力におけるゼロ点の補正を実施することが可能となる。
【００５４】
また、制御手段１１２は、発電装置１０５の起動中に電力演算回路１１１における電力値のゼロ点補正を行うよう制御するものである。制御手段１１２からの起動指令から発電に入るまでの起動中、つまり起動指令後、燃料処理器（図示せず）で点火、昇温を行い、各部の温度条件が整い、発電装置１０５での発電に移行するまでの間で電力のゼロ点補正をすることにより、発電装置１０５や直流交流電力変換手段１０６を制御するために必要な電力情報を事前に取得でき、発電中の計測電力の演算に活用することができる。
【００５５】
また、制御手段１１２は、発電装置１０５の起動毎に電力演算回路１１１における電力値のゼロ点補正を行うよう制御するものである。制御手段１１２からの起動指令から発電に入るまでの起動中、毎回ゼロ点の補正を実施するので、毎回の発電において正確な電力計測が実施できる。
【００５６】
また、制御手段１１２は、発電装置１０５が所定期間以上停止した場合に電力演算回路１１１における電力値のゼロ点補正を行うよう制御するものである。使用者が長期不在などのため、発電システムが長期停止し、その間に電力計測のゼロ点がずれた場合であっても、発電前の起動中にゼロ点の補正ができるので、長期停止後も安心して発電中の正確な電力計測が実施できる。
【産業上の利用可能性】
【００５７】
以上のように、本発明にかかる分散型発電システムは、電流センサからの電流信号の正負を反転する信号反転手段を設けることで、通常電流信号と、信号反転手段を動作して得られる反転電流信号により演算後の電力値の和をゼロとする。これにより、電力演算回路において演算する電力のゼロ点のずれを補正することで、計測電力のゼロ点を自動補正できるので常に正確な電力計測ができるため、燃料電池発電システム、太陽光発電システム、風力発電システム、太陽熱発電システムなどの分散型発電システム等の用途にも適用することができる。
【符号の説明】
【００５８】
１０１  電力系統
１０２  分散型発電システム
１０３  連系点
１０４  需要家内負荷
１０５  発電装置
１０６  直流交流電力変換手段
１０７  電圧検出手段
１０８ａ  第１の電流センサ
１０８ｂ  第２の電流センサ
１０９  信号反転手段
１１０  信号積算手段
１１１  電力演算回路
１１２  制御手段
１１３  記憶手段
１１４  操作手段
１１５  表示手段
【図１】
2012220330.tif 000003
【図２】
2012220330.tif 000004
【図３】
2012220330.tif 000005
【図４】
2012220330.tif 000006